(57)【要約】【課題】  通行者の状況が変化しても操作性がよいカードリーダを備えた入退室管理システムを提供する。【解決手段】  建物あるいは部屋の扉１２の近傍に人感センサ８を設け、上記扉１２に通行者１が近づいたことを検知すると共に、上記通行者１が保持する所定のカード２を読み取ることにより上記扉１２の開閉を制御する入退室管理システムにおいて、上記人感センサ８に複数の感度レベルを設定し、時間帯に応じて上記感度レベルを切り換える構成とする。【選択図】図１
2005133341.tif 000002
【特許請求の範囲】
【請求項１】
建物あるいは部屋の扉の近傍に人感センサを設け、上記扉に通行者が近づいたことを検知すると共に、上記通行者が保持する所定のカードを読み取ることにより上記扉の開閉を制御する入退室管理システムにおいて、上記人感センサに複数の感度レベルを設定し、時間帯に応じて上記感度レベルを切り換えるようにしたことを特徴とする入退室管理システム。
【請求項２】
建物あるいは部屋の扉の近傍に人感センサを設け、上記扉に通行者が近づいたことを検知すると共に、上記通行者が保持する所定のカードを読み取ることにより上記扉の開閉を制御する入退室管理システムにおいて、上記人感センサに複数の感度レベルを設定し、上記感度レベルを上記通行者の操作によって切り換え得るようにしたことを特徴とする入退室管理システム。
【発明の詳細な説明】
【技術分野】
【０００１】
この発明は、カードにより個人識別を行ない、建物あるいは部屋の扉の開閉を制御する入退室管理システムに関するものである。
【背景技術】
【０００２】
図４は、従来の入退室管理システムの構成を示すブロック線図である。
この図に示すように、入退室を管理している建物あるいは部屋に入室、またはその建物あるいは部屋から退室しようとする通行者１にカード個人識別番号５を記録したカード２を保持させ、このカードのカード個人識別番号５をカードリーダ３によって読み取ることにより、入退室可の通行者であるか、不可の通行者であるかを識別し、入退室可の通行者に対してのみ建物あるいは部屋の扉の通行を許可するようにしたものである。
【０００３】
カードリーダ３は以下に述べる各要素によって構成されている。即ち、上記カード２内のカード個人識別番号５を読み取るカード読取部６と、上記カード個人識別番号５が通行可能かどうかを判定する通行可否判定用データベース７と、建物あるいは部屋の扉の近傍に設けられ、扉１２に向かって近づいて来る通行者１を感知して出力を生じ、通行者１が扉１２に近づくにつれて出力が増大するようにされた人感センサ８と、システムを制御する中央処理装置４に人感センサ８用の感度レベルを設定する感度設定手段９と、上記人感センサ８の出力と上記感度設定手段９の出力とを比較し、人感センサ８の出力が、設定された感度レベルを超えた時に出力を生ずる比較器１０と、カードリーダ３内に設けられ、上記比較器１０からの出力に応動して扉１２の開閉を制御する扉制御部１１と、カードリーダ３の操作ガイダンスや扉１２の施解錠状態や開閉状態、後述する照合結果などを表示する液晶表示部１３と、上記液晶表示部１３を表示させる液晶表示部バックライト１４と、上記液晶表示部１３に付属する形で設けられ、通行者１が操作するタッチパネルスイッチ１５とである。
【０００４】
次に、従来の入退室管理システムの動作を図２に示すフロー図を用いて説明する。
通行者１がカードリーダ３に近づくと人感センサ８の出力が徐々に増大するため、ステップＳ１で人感センサ８の出力が感度設定手段９の設定レベルを上回り、比較器１０が出力を生じたがどうかを確認する。出力が生じておれば、ステップＳ２で中央処理装置４が液晶表示部バックライト１４を点灯する。
【０００５】
次に、ステップＳ３で一定時間（例えば５秒）以内にカード読取部６がカード２内のカード個人識別番号５を読み取ったかどうかを確認する。読み取っておれば、ステップＳ４で中央処理装置４は感度データベースに正常動作として記録すると共に、上記カード個人識別番号５と通行可否判定用データベース７とを照合し、照合結果が通行可の場合には、中央処理装置４が扉制御部１１を経由して扉１２を一時解錠する。また、ステップＳ５で、一定時間経過後に液晶表示部バックライト１４を消灯し、初期状態に戻る。
なお、ステップＳ４で照合結果が通行否の場合には、中央処理装置４は扉１２を解錠せず初期状態に戻る。
【０００６】
また、ステップＳ３において、一定時間以内にカード読取部６がカード２内のカード個人識別番号５を読み取れない場合には、ステップＳ５に進み、中央処理装置４は液晶表示部バックライト１４を消灯して初期状態に戻る。
一方、ステップＳ１で比較器１０が中央処理装置４に出力しない場合には、ステップＳ６でカード読取部６がカード２内のカード個人識別番号５を一定時間以内に読み取ったかどうかを確認する。読み取っている場合には、中央処理装置４はステップＳ７で液晶表示部バックライト１４を点灯させ、ステップＳ４に進める。このステップでは上述のように、中央処理装置４がカード個人識別番号５と通行可否判定用データベース７とを照合し、照合結果が通行可の場合には、中央処理装置４が扉制御部１１を経由して扉１２を一時解錠する。次に、ステップＳ５で一定時間経過後に液晶表示部バックライト１４を消灯し、初期状態に戻る。なお、ステップＳ４で照合結果が通行否の場合には、中央処理装置４は扉１２を解錠せず初期状態に戻る。
【０００７】
感度設定手段９の感度レベルは、カードリーダ３の設置時に周囲の状況に応じて設定される。通常、人の往来が多い場所にカードリーダ３が設置される場合には、感度設定手段９の感度レベルを高めに設定し、通行者１がカードリーダ３の近辺に近づかないと比較器１０が出力を生じないようにする。また、逆に、人の往来が少ない場所にカードリーダ３が設置される場合には、感度設定手段９の感度レベルを低めに設定し、通行者１がカードリーダ３から遠くの位置にいる場合でも比較器１０が出力を生ずるようにする。（例えば特許文献１参照）。
【０００８】
【特許文献１】特願２００２−２０８０２０（段落００１１−００１５、図１、図２）
【発明の開示】
【発明が解決しようとする課題】
【０００９】
従来の入退室管理システムは上記のように構成され、頻繁に通行者がある場合を想定して感度設定がなされ、通行者がカードリーダ３に近づかないと比較器が出力を生じないように感度レベルが設定される場合が多い。このため、夜間等の通行者が少ない時間帯であっても、通行者がカードリーダ３に近づかないと液晶表示部バックライト１４が点灯せず、操作性が落ちるという問題点があった。また、夜間等に警備員が巡回し、扉１２の施錠状態を液晶表示部１３で確認しようとする場合にも、カードリーダ３に近づかないと液晶表示部バックライト１４が点灯しないため、扉１２の施錠状態が確認しにくいという問題点もあった。
【００１０】
この発明は、上記のような問題点を解消するためになされたもので、通行者の状況が変化しても操作性がよいカードリーダを備えた入退室管理システムを提供することを目的とする。
【課題を解決するための手段】
【００１１】
この発明に係る入退室管理システムは、建物あるいは部屋の扉の近傍に人感センサを設け、上記扉に通行者が近づいたことを検知すると共に、上記通行者が保持する所定のカードを読み取ることにより上記扉の開閉を制御する入退室管理システムにおいて、上記人感センサに複数の感度レベルを設定し、時間帯に応じて上記感度レベルを切り換えるようにしたものである。
【発明の効果】
【００１２】
この発明に係る入退室管理システムは以上のように構成され、人感センサに複数の感度レベルを設定し、時間帯に応じて感度レベルを切り換えるようにしているため、人の往来が多い時間帯には感度レベルを高めに設定して、通行者がカードリーダの近辺に近づかないと比較器が出力を生じないようにし、人の往来が少ない時間帯には感度レベルを低めに設定して、通行者がカードリーダから遠くの位置にいる場合でも比較器が出力を生ずるようにすることができる。
【発明を実施するための最良の形態】
【００１３】
実施の形態１．
以下、この発明の実施の形態１を図にもとづいて説明する。図１は、実施の形態１の構成を示すブロック線図であり、図４と同一または相当部分にはそれぞれ同一符号を付して説明を省略する。図４と異なる点は、感度設定手段９を複数個設け、それぞれに異なる感度レベルを設定すると共に、切換器１６を設け、時間帯に応じて切り換えるようにした点である。従って、比較器１０への感度レベルに応じた出力は、切換器によって切り換えられた感度設定手段の感度レベルに対応した出力が与えられる。
【００１４】
また、時間帯を設定するために時計１７及び時間設定手段１８が設けられている。
なお、この実施の形態では、感度設定手段を９ａ及び９ｂで示すように、２個設けた例を示している。
【００１５】
次に、実施の形態１の動作について説明する。感度設定手段９ａと感度設定手段９ｂはカードリーダ３の設置時に周囲の状況に応じてそれぞれ異なる感度レベルが設定される。
通常、人の往来が多い時間帯には感度設定手段の感度レベルを高めに設定し、通行者１がカードリーダ３の近辺に近づかないと比較器１０が出力しないようにし、人の往来が少ない時間帯には感度設定手段の感度レベルを低めに設定し、通行者１がカードリーダ３の遠くにいても比較器１０が出力するようにするため、時間帯に対応した感度レベルを各感度設定手段９ａ、９ｂにそれぞれ設定し、時間設定手段１８には時間帯の始めと終わりの時間を設定して、時計１７が所定時刻になると切換器１６が感度設定手段９ａ、９ｂを切り換え、それぞれの感度レベルに対応した出力を生ずる。
この切り換えられた感度レベルの出力と人感センサ８の出力とが比較器１０で比較され、その出力が図２に示すフロー図のステップＳ１で確認され、その後は図２に示す各ステップに従って上述のように動作する。
【００１６】
実施の形態２．
次に、この発明の実施の形態２を図にもとづいて説明する。図３は、実施の形態２の構成を示すブロック線図である。
この図において、図４と同一または相当部分にはそれぞれ同一符号を付して説明を省略する。図４と異なる点は、図１と同様に、感度設定手段を複数個設け、それぞれに異なる感度レベルを設定すると共に、各感度設定手段を切り換える切換器１６と、タッチパネルスイッチ１５内にモード変更スイッチ１９を設け、通行者がこのモード変更スイッチ１９を操作することにより、上記切換器１６が感度設定手段を切り換えるようにした点である。
なお、この実施の形態では、感度設定手段を９ａ、９ｂで示すように、２個設けた例を示している。
【００１７】
次に、実施の形態２の動作について説明する。感度設定手段９ａと感度設定手段９ｂはカードリーダ３の設置時に周囲の状況に応じてそれぞれ異なる感度レベルが設定される。
この実施の形態においては、時間帯とは関係なく、人の往来が多い場合には、感度設定手段の感度レベルを高めに設定し、通行者１がカードリーダ３の近辺に近づかないと比較器１０が出力しないようにし、人の往来が少ない場合には、感度設定手段の感度レベルを低めに設定し、通行者１がカードリーダ３の遠くにいても比較器１０が出力するようにし、かつ、人の往来の多少の判断を通行者１が行ない、通行者１がモード変更スイッチ１９を操作することによって切換器１６が感度設定手段９ａ、９ｂを切り換えるようにされている。
【００１８】
そして、切り換えられた感度レベルの出力と人感センサ８の出力とが比較器１０で比較され、その出力が図２に示すフロー図のステップＳ１で確認され、その後は図２に示す各ステップに従って上述のように動作する。
【図面の簡単な説明】
【００１９】
【図１】この発明の実施の形態１の構成を示すブロック線図である。
【図２】この発明の実施の形態１、２及び従来システムの動作を説明するフロー図である。
【図３】この発明の実施の形態２の構成を示すブロック線図である。
【図４】従来の入退室管理システムの構成を示すブロック線図である。
【符号の説明】
【００２０】
１  通行者、      ２  カード、      ３  カードリーダ、
４  中央処理装置、      ５  カード個人識別番号、      ６  カード読取部、        ７  通行可否判定用データベース、      ８  人感センサ、
９ａ、９ｂ  感度設定手段、      １０  比較器、
１１  扉制御部、      １２  扉、      １３  液晶表示部、
１４  液晶表示部バックライト、      １５  タッチパネルスイッチ、
１６  切換器、      １７  時計、      １８  時間設定手段、
１９  モード変更スイッチ。
【図１】
2005133341.tif 000003
【図２】
2005133341.tif 000004
【図３】
2005133341.tif 000005
【図４】
2005133341.tif 000006